(57)【要約】【課題】操作つまみを備えた回転型電子部品に関し、回転操作させても操作つまみに表示された表示物が回転しない、機能表示デザイン自由度が高くて、高品位なものを提供することを目的とする。【解決手段】回転型電子部品１の操作軸２に装着された外側操作体７と、その内側に位置し、下面に係合部９を備えた表示体８とからなる二重構成の操作つまみ６とし、外側操作体７の段付き貫通孔７Ａに表示体８の係合部９が係止しているが両者を相対的に回転可能な状態で組み合わせると共に、上記表示体８の下方に向けて棒状に突出した棒状突起８Ｃを、外側操作体７の円板部７Ｂに設けた長孔７Ｅに挿通して先端部８Ｄを係止状態に固定して、表示体８の回転を規制する構成とした。【選択図】  図１
2004338482.tif 000002
【特許請求の範囲】
【請求項１】
３６０度より小さい所定の回転角度範囲が設定されている電子部品本体の操作軸に装着され、外縁部分が回転操作される円板部に設けられた中央孔の下方が上記操作軸と共回りするように組み合わされた外側操作体と、上記外側操作体の中央孔に係合した係合部を下方に備え、上記外側操作体が回転操作されても共回りしないように回転規制がなされた表示体とで構成される操作つまみを備えた回転型電子部品。
【請求項２】
表示体が共回りしない操作つまみの回転規制構造は、上記表示体の下方に設けた突出した棒状突起が、外側操作体の円板部に設けた長孔に挿通されて、使用される機器の筐体などの回転しない部分で保持され、かつ、上記長孔は、上記外側操作体の回転に伴い相対移動する上記棒状突起の移動可能な形状に設けられている請求項１記載の操作つまみを備えた回転型電子部品。
【請求項３】
表示体が共回りしない操作つまみの回転規制構造は、使用される機器の筐体などの回転しない部分から突出した棒状突起が、外側操作体の円板部に設けた長孔に挿通されて上記表示体に係止され、かつ、上記長孔は、上記外側操作体の回転に伴い相対移動する上記棒状突起の移動可能な形状に設けられている請求項１記載の操作つまみを備えた回転型電子部品。
【請求項４】
表示体の下面とそれに対向する外側操作体の上面との間に中間部材を配し、その中間部材が上記表示体および上記外側操作体に弾接している請求項１記載の操作つまみを備えた回転型電子部品。
【発明の詳細な説明】
【０００１】
【発明の属する技術分野】
本発明は、カーエアコン用等の各種電子機器における操作パネル等に使用される操作つまみを備えた回転型電子部品に関するものである。
【０００２】
【従来の技術】
近年、各種電子機器が普及すると共に、特に、車載用機器は、多機能化と操作部の集中化と併せて高品位化が進んできており、カーエアコンにおいても同様に高品位で高級感を感じさせるものが要望されている。
【０００３】
通常、カーエアコン用の操作パネルは、温度設定、風量設定、吹き出し口切換の３種類の操作部を有し、それぞれの操作部には、各機能を制御するための操作つまみを備えた回転型電子部品が使用されている。
【０００４】
このような従来の操作つまみを備えた回転型電子部品について、図６〜図７を用いて説明する。
【０００５】
図６は、従来の操作つまみを備えた回転型電子部品の部分断面図であり、図７は、同外観斜視図である。
【０００６】
同図において、１は、電気信号制御機能（図示せず）を備えた回転型電子部品であり、この回転型電子部品１の軸受３から上方に突出している操作軸２は、回転操作範囲が３６０度より小さい所定の回転角度範囲に設定されている。
【０００７】
４は、回転型電子部品１内部の接点（図示せず）等からなる電気信号制御機能と電気的に接続されて外方に導出されている端子である。
【０００８】
そして、５は、上記操作軸２に取り付けられた操作つまみであり、使用される機器の各機能に応じて文字などの表示５Ａがその上面５Ｂになされている。
【０００９】
上記従来の操作つまみ５を備えた回転型電子部品１は、操作つまみ５を回転操作することにより、回転型電子部品１の所定の電気的出力が可変操作でき、その出力が端子４から得られるものであった。
【００１０】
なお、この出願の発明に関連する先行技術文献情報としては、例えば、特許文献１が知られている。
【００１１】
【特許文献１】
実開平４−７４３１２号公報
【００１２】
【発明が解決しようとする課題】
しかしながら、上記従来の操作つまみを備えた回転型電子部品においては、操作つまみ５に機能を示す文字などの表示５Ａが通常なされているため、操作つまみ５を回転操作した時、その表示５Ａも回転してしまい、上述のカーエアコンのように操作部が複数並んで用いられる機器においては、操作つまみ５の文字などの表示５Ａの向きがまちまちになって機能表示状態の品位が低下するという課題があった。
【００１３】
本発明は、このような従来の課題を解決するものであり、操作つまみを回転操作させても操作つまみの表示は回転しない、操作者に扱いやすくて機能表示デザイン自由度の高い高品位な操作つまみを備えた回転型電子部品を提供することを目的とする。
【００１４】
【課題を解決するための手段】
上記目的を達成するために本発明は、以下の構成を有するものである。
【００１５】
本発明の請求項１に記載の発明は、３６０度より小さい所定の回転角度範囲が設定されている電子部品本体の操作軸に装着され、外縁部分が回転操作される円板部に設けられた中央孔の下方が上記操作軸と共回りするように組み合わされた外側操作体と、上記外側操作体の中央孔に係合した係合部を下方に備え、上記外側操作体が回転操作されても共回りしないように回転規制がなされた表示体とで構成される操作つまみを備えた回転型電子部品としたものであり、操作軸に取り付けられた外側操作体を介して操作軸を回転操作した時にも、内側に位置した表示体は回転規制がなされ当該表示体は操作軸などと共回りしない構成であるため、操作状況に拘らず表示の向きが変わらず、表示デザインの自由度の高い高品位な操作つまみを備えた回転型電子部品が得られるという作用を有する。
【００１６】
請求項２に記載の発明は、請求項１記載の発明において、表示体が共回りしない操作つまみの回転規制構造は、上記表示体の下方に設けた突出した棒状突起が、外側操作体の円板部に設けた長孔に挿通されて、使用される機器の筐体などの回転しない部分で保持され、かつ、上記長孔は、上記外側操作体の回転に伴い相対移動する上記棒状突起の移動可能な形状に設けられているものであり、簡単な構成で容易に表示体の回転規制を行うことができるという作用を有する。
【００１７】
請求項３に記載の発明は、請求項１記載の発明において、表示体が共回りしない操作つまみの回転規制構造は、使用される機器の筐体などの回転しない部分から突出した棒状突起が、外側操作体の円板部に設けた長孔に挿通されて上記表示体に係止され、かつ、上記長孔は、上記外側操作体の回転に伴い相対移動する上記棒状突起の移動可能な形状に設けられているものであり、使用される機器側の都合の良い位置や方法で回転規制用の棒状突起を設けることができるため、機器側の設計自由度が大きくなるという作用を有する。
【００１８】
請求項４に記載の発明は、請求項１記載の発明において、表示体の下面とそれに対向する外側操作体の上面との間に中間部材を配し、その中間部材が上記表示体および上記外側操作体に弾接しているものであり、中間部材が表示体と外側操作体との間に生じる隙間を埋めて弾接しているので、表示体と外側操作体とのガタツキの無い高品位な操作性を備えたものにでき、また、中間部材の弾接力を強くすることにより高回転操作力の回転型電子部品を得ることができるという作用を有する。
【００１９】
【発明の実施の形態】
以下、本発明の実施の形態について、図１〜図５を用いて説明する。
【００２０】
なお、従来の技術の項で説明した構成と同一構成の部分には同一符号を付して、詳細な説明を省略する。
【００２１】
（実施の形態）
図１は本発明の一実施の形態による操作つまみを備えた回転型電子部品の部分断面図、図２は同分解斜視図であり、同図において、１は、軸受３で回転可能に支持されて上方に突出した操作軸２が、３６０度より小さい所定の回転角度範囲で設定されている回転型電子部品であり、ケース部分内に電気信号制御機能を備え、そこからの電気信号を外方へ導出するための端子４を備えていること等は、従来の技術で説明したものと同じである。
【００２２】
そして、この回転型電子部品１の操作軸２に装着されている操作つまみ６の構成が、従来のものとは異なっている。
【００２３】
この操作つまみ６は、中間段部７Ｆを有する段付き貫通孔７Ａを中心に備えた円板部７Ｂの下面に設けられた筒状部７Ｃが回転型電子部品１の操作軸２に共回り可能に装着結合され、その円板部７Ｂの外縁部分が円環堤状の操作部７Ｄとなった外側操作体７と、その円環堤状の操作部７Ｄの内側に位置する表示体８とからなる二重構成となっている。
【００２４】
そして、上記表示体８の上面部８Ａに印刷などにより所望の表示８Ｂがなされていると共に、表示体８の中央下面には、四つ又状の弾性爪で構成された係合部９が設けられている。
【００２５】
この係合部９は、下方側先端が先細りの円錐形部９Ａで、その上方が段部９Ｂを境として小径の円柱部９Ｃとなったものに対し、弾性を備えるようにスリット９Ｄが上下方向で十字形状に付け根まで設けられて四つ又状の係合部９として形成されている。
【００２６】
そして、表示体８の四つ又状の係合部９は、外側操作体７の段付き貫通孔７Ａに上方から挿通され、その段部９Ｂは段付き貫通孔７Ａの中間段部７Ｆに係止して一体的になっているが、それら外側操作体７および表示体８の間は相対的に回転可能な状態で組み合わされている。
【００２７】
更に、上記表示体８は、下面外周部に下方に向けて棒状に突出した一つの棒状突起８Ｃを備えており、この棒状突起８Ｃは、外側操作体７の円板部７Ｂに設けられた長孔７Ｅに挿通され、その先端部８Ｄは、円板部７Ｂの下面位置よりも下方側に所定寸法突出している。
【００２８】
なお、回転型電子部品１の操作軸２の軸心に、外側操作体７および表示体８の中心位置は合わせられている。
【００２９】
また、上記長孔７Ｅは、外側操作体７と表示体８との相対的な回転可能な角度範囲となる回転型電子部品１の３６０度より小さい所定の回転角度範囲に対応した角度範囲で、上記軸心位置を中心とした円弧状に設けられている。
【００３０】
以上のように本実施の形態による操作つまみ６を備えた回転型電子部品１は構成され、次に、当該操作つまみ６を備えた回転型電子部品１が機器に搭載されて操作される状態について説明する。
【００３１】
図３は、本実施の形態による操作つまみを備えた回転型電子部品が、使用される機器に搭載された状態を示す部分断面図である。
【００３２】
図３において、１０は使用される機器のプリント配線板、１１は使用される機器のパネル用筐体であり、本実施の形態による操作つまみ６を備えた回転型電子部品１は、上記プリント配線板１０にはんだ付けされて実装されている。
【００３３】
そして、操作つまみ６の外側操作体７の長孔７Ｅから下方側に突出している表示体８の棒状突起８Ｃの先端部８Ｄは、機器のパネル用筐体１１に設けられた上記棒状突起８Ｃより少し大きい規制用貫通孔１１Ａに挿通されており、この長孔７Ｅ、棒状突起８Ｃと機器の規制用貫通孔１１Ａとにより表示体８の回転規制部が構成されている。
【００３４】
なお、上記構成説明では、操作つまみ６を備えた回転型電子部品１の状態で説明をしたが、使用される機器への搭載時には、操作つまみ６を取り付けていない回転型電子部品１をまずプリント配線板１０に配して、プリント配線板１０に構成された回路（図示せず）と端子４をはんだ付け接続し、その後に操作つまみ６を装着させて実装するものである。
【００３５】
以上のようにして搭載された本実施の形態による操作つまみ６を備えた回転型電子部品１は、回転操作する場合に、外側操作体７の円環堤状の操作部７Ｄを指などで回転させて回転型電子部品１の電気的出力を変化させて、その変化を端子４を介して接続された回路に伝達し、機器を制御するものである。
【００３６】
このとき、上記回転操作により外側操作体７を回転操作させても内側の表示体８は、棒状突起８Ｃが機器のパネル用筐体１１に設けられた規制用貫通孔１１Ａに挿通されて回転規制されているため共回りすることは無く、表示体８は機器に搭載された時の位置や状態を維持する。
【００３７】
なお、外側操作体７の回転角度に応じて、棒状突起８Ｃは外側操作体７に相対的に移動するが、棒状突起８Ｃを挿通する長孔７Ｅを、当該移動方向に合わせた円弧状に設けているため、外側操作体７の回転操作は自在に可能となる。
【００３８】
このように本実施の形態による操作つまみを備えた回転型電子部品は、回転型電子部品１に装着された操作つまみ６を回転操作しても、表示体８の上面部８Ａに備えられた文字などの表示８Ｂが、所望の方向に維持されるものにでき、操作つまみ６の表示デザインの自由度が増すと共に高品位なものを実現することができる。
【００３９】
そして、当該操作つまみ６を備えた回転型電子部品１を搭載する機器としても、そのパネル用筐体１１に規制用貫通孔１１Ａを設けるだけで良く、簡単な構成で容易に表示体８の回転規制を行うものにできる。
【００４０】
そして、さらなる改善として、図４に示す構成の操作つまみ６を備えた回転型電子部品１のように、操作つまみ６の外側操作体７と表示体８との間にフェルトなどからなる弾性を備えた平板環状の中間部材１２を配したものとしてもよい。
【００４１】
この中間部材１２を介在させることにより、外側操作体７の段付き貫通孔７Ａに表示体８の係合部９を圧入係止した状態で生じる上下方向の僅かな隙間を吸収して弾接状態にできるので、表示体８と外側操作体７とのガタツキの無い高品位な操作性を備えたものにできる。
【００４２】
また、中間部材としてばね座金などを用いて、その弾接力をさらに強くし高回転操作力の回転型電子部品としてもよい。
【００４３】
なお、上記では、操作つまみ６の表示体８の下面に棒状突起８Ｃを設けると共に、固定側として機器側のパネル用筐体１１に規制用貫通孔１１Ａを設け、両者を組み合わせたもので説明したが、図５に示す機器側の固定側から回転規制用突起を設けたものとしても良い。
【００４４】
つまり、図５において、１３は機器のパネル用筐体で、回転型電子部品１の操作つまみ１４が配される位置に回転規制用の棒状突起１３Ａが上方に突出して設けられている。
【００４５】
そして、その棒状突起１３Ａは、操作つまみ１４の外側操作体１５に設けられた長孔１５Ａに挿通され、その先端部１３Ｂが、対応して設けられた表示体１６の下面の凹部１６Ａに嵌り込んで係止されている。
【００４６】
その他の構成は、上記に説明したものの場合と同じであるため、説明を省略する。
【００４７】
この構成においても、外側操作体１５の長孔１５Ａは、上記外側操作体７の長孔７Ｅと同様に、操作つまみ１４の回転可能角度範囲に合わせた角度範囲で、かつ回転する外側操作体１５に相対的に移動する棒状突起１３Ａの移動方向に合わせた円弧状で設けている。
【００４８】
そして、このように構成された操作つまみ１４であれば、外側操作体１５を回転操作した場合、内側の表示体１６は共回りすることがない上に、機器側のパネル用筐体１３の都合の良い位置や方法で回転規制用の棒状突起１３Ａを設けることができるため、機器側の設計自由度が大きくなるという効果が得られる。
【００４９】
なお、上記には表示体８または１６の回転規制構造の一部として筐体を活用したものを説明したが、筐体以外の固定状態となった回転しない部分で表示体の回転規制を行う構造としてもよい。
【００５０】
【発明の効果】
以上のように本発明によれば、操作つまみを回転操作させても操作つまみに表示された文字などが回転しない、操作者に見やすくて、機能表示デザイン自由度の高い高品位な操作つまみを備えた回転型電子部品とすることができるという有利な効果が得られる。
【図面の簡単な説明】
【図１】本発明の一実施の形態による操作つまみを備えた回転型電子部品の部分断面図
【図２】同分解斜視図
【図３】同使用される機器に搭載された状態を示す部分断面図
【図４】同他の構成の操作つまみを備えた回転型電子部品の部分断面図
【図５】同他の構成の操作つまみを備えた回転型電子部品の部分断面図
【図６】従来の操作つまみを備えた回転型電子部品の部分断面図
【図７】同外観斜視図
【符号の説明】
１  回転型電子部品
２  操作軸
３  軸受
４  端子
６，１４  操作つまみ
７，１５  外側操作体
７Ａ  段付き貫通孔
７Ｂ  円板部
７Ｃ  筒状部
７Ｄ  操作部
７Ｅ，１５Ａ  長孔
７Ｆ  中間段部
８，１６  表示体
８Ａ  上面部
８Ｂ  表示
８Ｃ，１３Ａ  棒状突起
８Ｄ，１３Ｂ  先端部
９  係合部
１０  プリント配線板
１１，１３  パネル用筐体
１１Ａ  規制用貫通孔
１６Ａ  凹部
【図１】
2004338482.tif 000003
【図２】
2004338482.tif 000004
【図３】
2004338482.tif 000005
【図４】
2004338482.tif 000006
【図５】
2004338482.tif 000007
【図６】
2004338482.tif 000008
【図７】
2004338482.tif 000009